(57)【特許請求の範囲】
【請求項１】
複数の遊技台と、各遊技台の周辺部に挿入されたカードの記録内容又は紙幣の金額に対応する個数の遊技媒体を貸し出す複数の遊技台付設処理装置が配置されて形成された遊技台列、及び他の遊技台列又は壁面により形成された遊技台島部の内部空間に設けられ、前記遊技台島部における少なくとも一側面に設置されて前記カード及び紙幣を蓄積する搬送物蓄積部まで少なくとも前記紙幣を搬送する搬送ベルト部と、該搬送ベルト部により搬送される前記紙幣の側面及び下面を囲む壁面により形成される搬送ガイド部を備える搬送装置であって、
前記遊技台の周辺部の上面側に配置されて挿入された前記カードを水平姿勢のままで検出するカード識別部から、使用が終了した前記カードを、前記搬送ベルト部と、前記搬送ガイド部の側壁面との間に導くカードガイド部と、
前記遊技台の周辺部の側面側に配置されて挿入された前記紙幣を直立姿勢のままで検出する紙幣識別部から、識別された前記紙幣を前記搬送ベルト部に当接させるように、前記搬送ガイド部の側壁面との間に導く紙幣ガイド部と
を備えることを特徴とする搬送装置。
【請求項２】
前記搬送ベルト部には、搬送方向に対する左右方向に少なくとも前記搬送ガイド部の側壁面近傍まで達する長さで突出し、搬送方向に向かって前記カードよりも大きい寸法間隔毎に、且つ前記搬送ガイド部の下壁面からの高さが前記カードよりも小さい寸法となるように複数の搬送物押進突起部が設けられる
ことを特徴とする請求項１に記載の搬送装置。
【請求項３】
前記搬送ガイド部の側壁面には、前記搬送物押進突起部の先端形状の外形寸法よりも大きい内形寸法の凹溝が形成され、
前記搬送物押進突起部の先端が前記凹溝に遊嵌される
ことを特徴とする請求項１又は２に記載の搬送装置。
【請求項４】
前記搬送物押進突起部の先端部には、該搬送物押進突起部の直径よりも上下方向の寸法が大きい紙幣引き込み部が設けられ、
前記搬送ガイド部の側壁面に形成される凹溝は、前記紙幣引き込み部の外形寸法よりも大きい内形寸法であり、前記紙幣引き込み部が前記凹溝に遊嵌される
ことを特徴とする請求項１〜３の何れかに記載の搬送装置。
【請求項５】
前記紙幣引き込み部は、少なくとも紙幣と接触する面には、摩擦係数の高い材料を用いる、及び／又は、摩擦係数を増加させる加工を施す
ことを特徴とする請求項１〜４の何れかに記載の搬送装置。
【発明の詳細な説明】
【技術分野】
【０００１】
本発明は、遊技場の遊技台島部内で紙幣等の搬送物を搬送物蓄積部まで搬送する搬送装置に関する。
【背景技術】
【０００２】
パチンコ台等の遊技台が設置された遊技場では、一般的に遊技台が列を成すように密集させて配置されており、例えば、遊技場の壁面を除けば、２列の各遊技台列が、その背面側同士を対向させて配置されて、列の両側端面部は、遊技台の背面側が見えないように目隠し板等の部材により掩蔽されて内部空間が形成されている。その操作面が同一方向に揃うように横方向に一列に並べられた複数の遊技台の側辺及び上辺を含む周辺部には、挿入された紙幣を検出したりカードの記録内容を検出し、その紙幣の金額やカードの記録内容に対応する数の遊技媒体を貸し出す機能を備える遊技台付設処理装置が配置されている。
【０００３】
また、遊技場の壁面に背面側が対向する遊技台列でも、列の両側端面部は、遊技台の背面側が見えないように目隠し板等の部材により掩蔽されて内部空間が形成されている。このような掩蔽された内部空間を囲んで設けられた遊技台列の場所は、遊技場内で各遊技台によりブロック状に囲まれた島が構成されることから、遊技島（以下、遊技台島と記載）と称されている。
【０００４】
遊技台付設処理装置は、一般的には、各遊技台の間、例えばある遊技台の左側辺とその隣の遊技台の右側辺との間の台間に設置されており、従って、その中の構成である紙幣の判別装置及びカードの判別装置もその台間に配置されることが多い。その場合には、紙幣は短辺を上下方向に直立させた姿勢（状態）で紙幣の判別装置の挿入口に挿入される。カードは水平の姿勢（状態）でカードの判別装置の挿入口に一方の短辺側から挿入される。
【０００５】
従来は、遊技台付設処理装置に挿入された紙幣は、紙幣の種類が検出されてからその内部の紙幣収納部に蓄積され、紙幣収納部が一杯になる前に遊技場の従業員により手作業で回収されていた。しかし、各遊技台の側辺の間の狭い隙間に設置される遊技台付設処理装置に設けることができる紙幣収容部は、容量を大きくできないことから従業員が頻繁に回収する必要があった。
【０００６】
この問題を解決するために、遊技台島の内部空間まで搬送された紙幣は、内部空間に設けられた搬送装置により、遊技台島部における少なくとも一方の遊技台列端の側面部に設置された搬送物蓄積部まで搬送されて蓄積されることが知られている（例えば、特許文献１参照）。
【０００７】
従来のそのような搬送装置では、紙幣のみを搬送対象としており、例えば、対向する複数列の搬送ベルトの間に紙幣を挟みこんで搬送するか、対向する複数の搬送ローラの列の間に紙幣を挟みこんで搬送するか、或いは対向する搬送ベルトと搬送ローラの間に紙幣を挟みこんで搬送していた。そのため、従来の搬送ベルトには、例えば、表面の摩擦係数が高くなる材料を用いたり、摩擦係数が高くなるように表面形状を加工を施したり、表面に摩擦係数の高い材料を付加する等のように、高コストの材料を使用するか又は高コストの加工を施す必要があった。
【０００８】
搬送ベルトは、紙幣を搬送する面が平坦な形状であるベルト型と、断面円弧状で紙幣を搬送する面が曲面のロープ型がある。搬送ローラは、例えば、対向する搬送ベルトが平ベルト型の場合には円筒形状であり、搬送ベルトがロープ型の場合には、紙幣搬送面の中央が円弧状に凹んだボビン形状又はプーリ形状である。
【０００９】
従来の搬送装置を用いた場合には、遊技台付設処理装置に挿入された紙幣は、紙幣判別装置により紙幣の種類が検出されてから上記の搬送装置まで、例えば搬送ローラ等により円滑に搬送装置に受け渡しができるように形成された紙幣ガイド部の中を搬送される。その後の搬送装置による紙幣の搬送は上記したとおりである。このようにして各遊技台付設処理装置に挿入された紙幣は、搬送装置を介して遊技台島部の側端面の搬送物蓄積部まで搬送されて蓄積され、遊技場の従業員による紙幣の回収を容易にすることができた。
【００１０】
【特許文献１】特開２００４−８３１９９号公報
【発明の開示】
【発明が解決しようとする課題】
【００１１】
しかしながら、遊技台付設処理装置には遊技台の使用者が、会員が保有する会員カード又は当日のみ利用可能な当日カード等を挿入することで遊技媒体を借り受けて利用する場合があり、残数が０になった場合には使用済みとして使用者に返却されるか、遊技台付設処理装置の内部のカード回収部に蓄積されていた。
【００１２】
使用者に返却された使用済みの当日カードは、遊技を終了した使用者により通常はゴミ箱等に捨てられて回収されるが、一部は遊技台の近傍に放置されて最終的に床等に落ちて遊技場内に散乱してしまい、回収されないで環境を悪化させまうという問題があった。
【００１３】
これについては、使用者のマナーの問題もあるが、例えば、当日カードは複数日使用を前提としておらず、会員カードのように紙幣を用いて複数日使用できないことからゴミとして廃棄（使用者によっては放置）するしか処理方法がないためと考えられる。
【００１４】
また、遊技台付設処理装置が、使用済みの当日カードが各遊技台付設処理装置内のカード回収部に蓄積するタイプである場合には、カード収納部が一杯になる前に遊技場の従業員により手作業で回収する必要があったが、上記した紙幣収容部と同様にカード収容部は容量を大きくできないことから従業員が頻繁に回収する必要があるという問題があった。
【００１５】
ここで、例えば単純に上記した従来の紙幣の搬送装置を利用して使用済みの当日カードを搬送することを考察した場合、紙幣は縦横寸法が大きく厚みが小さく（薄く）て可撓性も大きく折り曲げも可能であることに対して、カードは縦横寸法が小さく紙幣に比べて厚みが大きく（厚く）て可撓性も小さく折り曲げは不可能であるため、以下の（１）〜（４）の理由から、紙幣用の搬送装置をそのまま使用済み当日カードの搬送装置として転用することは難しかった。
【００１６】
（１）比較的厚いカードを搬送するために、比較的薄い紙幣用に調整された搬送ベルトと搬送ローラの間隔のままの搬送装置を転用しようとすると、搬送ベルトと搬送ローラの間の抵抗が増大することになるので、搬送ベルトの円滑な駆動が困難になる。また、紙幣を搬送する場合とカードを搬送する場合で搬送スピードが変わり、カードの場合の抵抗が大きい場合は搬送ベルトが停止する場合が考えられる。このことは、紙幣を第１の搬送ローラと対向する第２搬送ローラの間に挟んで順次受け渡して搬送するタイプの装置においても同様であり、カードの搬送に転用しようとした場合には上記と同様な問題が発生することから困難となる。
【００１７】
（２）遊技台付設処理装置から紙幣を従来の紙幣の搬送装置に導く紙幣ガイド部は、例えば、紙幣の受け渡しを円滑にするために、搬送装置の搬送方向と同一の水平面上で搬送方向に向かって短い寸法の内を大きな曲率で湾曲するように設けられていたが、カードの搬送用に転用しようとすると、上記したようにカードの可撓性は小さいので、紙幣に合わせて水平面上で湾曲されたガイド部分内を搬送させることは困難である。
【００１８】
（３）搬送ローラ同士や、搬送ベルトと搬送ローラの組み合わせでカードを搬送しようとすると、紙幣とカードの長辺の長さの違いから、一つのローラと搬送経路上の次の搬送ローラとの間隔を小さくする必要がある。各ローラの間隔を短くすることはローラ数が増加しコストアップとなる。
【００１９】
（４）搬送ベルトがロープ型でボビン形状又はプーリ形状の搬送ローラを用いた搬送装置では、上記したようにカードの可撓性は小さいので、搬送ベルトと搬送ローラの間に挟むことができない。従って、このタイプの搬送装置では、カードの搬送は不可能である。
【００２０】
本発明は上記した問題を解決するためになされたものであり、使用済み当日カードのような不要となったカードを遊技台島部の側端面の搬送物蓄積部まで搬送して蓄積する搬送装置を提供することであり、更に紙幣とカードを同時に搬送物蓄積部まで搬送して蓄積する搬送装置を提供することを目的とする。
【課題を解決するための手段】
【００２１】
上記した目的を達成するため、本発明の搬送装置は、
複数の遊技台と、各遊技台の周辺部に挿入されたカードの記録内容又は紙幣の金額に対応する個数の遊技媒体を貸し出す複数の遊技台付設処理装置が配置されて形成された遊技台列、及び他の遊技台列又は壁面により形成された遊技台島部の内部空間に設けられ、前記遊技台島部における少なくとも一側面に設置されて前記カード及び紙幣を蓄積する搬送物蓄積部まで少なくとも前記紙幣を搬送する搬送ベルト部と、該搬送ベルト部により搬送される前記紙幣の側面及び下面を囲む壁面により形成される搬送ガイド部を備える搬送装置であって、
前記遊技台の周辺部の上面側に配置されて挿入された前記カードを水平姿勢のままで検出するカード識別部から、使用が終了した前記カードを、前記搬送ベルト部と、前記搬送ガイド部の側壁面との間に導くカードガイド部と、
前記遊技台の周辺部の側面側に配置されて挿入された前記紙幣を直立姿勢のままで検出する紙幣識別部から、識別された前記紙幣を前記搬送ベルト部に当接させるように、前記搬送ガイド部の側壁面との間に導く紙幣ガイド部と
を備える。
【発明の効果】
【００２２】
本発明の搬送装置は、使用済み当日カードのような不要となったカードを遊技台島部の側端面の搬送物蓄積部まで搬送して蓄積する搬送装置を提供することができ、更に紙幣とカードを同時に搬送物蓄積部まで搬送して蓄積する搬送装置を提供することができる。
【発明を実施するための最良の形態】
【００２３】
（第１の実施形態）
以下、添付の図面を参照して本発明の搬送装置の実施の形態につき説明する。
【００２４】
図１は、本発明の実施の形態１の搬送装置が設置された遊技台島部の構成を示す図であり、（ａ）が正面からの部分外観図、（ｂ）上面からの部分透視図、（ｃ）が側面からの透視図である。
遊技場内には、例えば、複数の遊技台１１〜１５からなる遊技台列の背面側及び両端側面が掩蔽されることにより遊技台島１と称される遊技台ブロックが、一般的に少なくとも１箇所は設けられる。遊技台島１における遊技台列の背面側には、掩蔽された内部空間（遊技台島の掩蔽領域内部）５０が形成される。
【００２５】
掩蔽された内部空間５０は、遊技台列の両端側面及び遊技台列の背面を全て掩蔽する部材を用いて形成することもできるが、例えば図１（ｂ）及び図１（ｃ）に示したように背面を掩蔽する部材に代えて、他の列の遊技台１６〜２０を背面が対向するように配置させて掩蔽することによっても形成させることができる。
【００２６】
その場合のパチンコ台等の複数の遊技台１１〜１５は、操作面が同一方向に揃うように横方向に１列に並べられて遊技台列をなすように配置され、その遊技台列の裏側には複数の遊技台１６〜２０が、複数の遊技台１１〜１５とは背面同士を対向させて操作面が同一方向に揃うように横方向に１列に並べられて遊技台列をなすように配置される。遊技台島は、その２列に配置された遊技台列の少なくとも側面を遮蔽部材４４で掩蔽することにより形成される。このようにして、複数の遊技台１１〜１５の列と、複数の遊技台１６〜２０の列との間には、内部空間５０が形成される。
【００２７】
遊技台付設処理装置２１〜２５は、対応する各遊技台１１〜１５の少なくとも左右何れか一方の側面側の間と、各遊技台１１〜１５の上面側を含んで周辺部に配設され、少なくとも挿入されたカードの記録内容をカード識別部により検出してその記録内容に対応する数の遊技媒体を貸し出す機能を備えている。同様に遊技台付設処理装置２６〜３０は、対応する各遊技台１６〜２０の少なくとも左右何れか一方の側面側の間と、各遊技台１６〜２０の上面側を含んで周辺部に配設される。尚、各遊技台付設処理装置２１〜３０は、各々対応する各遊技台１１〜２０と不図示の信号線により通信接続されている。
【００２８】
また、遊技台付設処理装置２１〜３０は、会員が保有する会員カード又は当日のみ利用可能な当日カード等の挿入されたカードを識別して、そのカードに記録されているデータを読み出し、新たに変更されたデータをカードに書き込むことができるカード識別装置６１〜７０を各遊技台１１〜２０の上面側に備え、さらに挿入された紙幣を識別する紙幣識別装置７１〜８０を各遊技台１１〜２０の少なくとも一方の側面側（台間）に備えている。さらに遊技台付設処理装置２１〜３０は、挿入された紙幣を検出して該紙幣の金額に対応する数の遊技媒体を貸し出す機能を備えている。
【００２９】
図１（ａ）〜（ｃ）に示されたように、遊技台島１の掩蔽された空間領域５０は、まず、遊技台１１〜２０の操作面である前面側では、横に並べて配置される遊技台付設処理装置２１〜３０および遊技台１１〜２０に加えて、それらの上部が前面上部掩蔽部４１により、および、それらの下部が台座部（前面下部掩蔽部）４２により掩蔽される。また、空間領域５０の上面側は、不図示の上蓋部（上面掩蔽部）により掩蔽される。空間領域５０の側面側は、側面の掩蔽部材４４により掩蔽される。
【００３０】
各遊技台１１〜２０の上面側に設けられるカード識別装置６１〜７０及び各遊技台１１〜２０の側面側に設けられる紙幣識別装置７１〜８０は、各々識別したカード又は紙幣を遊技台島の内部空間に設けられている搬送装置８２（後述）に向けて送り出す機能と、遊技台の使用者に返却するために挿入口に戻す機能、及び、その挿入されたカード又は紙幣による動作又はそれらカード又は紙幣に対する動作の確認が終了するまでは、その送り出し経路中にそれらのカード又は紙幣を一時的に滞留させる機能を有している。遊技台島部における少なくとも一方の遊技台列端の側面の遮蔽部材４４上には、本実施の形態の搬送装置により搬送されるカードや紙幣等の搬送物を回収して蓄積する搬送物蓄積部８１が設置される。
【００３１】
その掩蔽された内部空間５０内には、遊技台１１〜２０で使用されるパチンコ玉等の遊技媒体に対して、賞球あるいは回収のために蓄積する場所、循環路、バルブ駆動用のソレノイド、及びモータ等と共に、紙幣識別装置７１〜８０から内部空間５０側に送り出された紙幣と、カード識別装置６１〜７０から内部空間５０側に送り出された使用済みの当日カードを搬送物蓄積部８１まで搬送する搬送装置８２が設置される。
【００３２】
図２は、図１（ａ）の複数の遊技台１１〜１５の列の背面側に設けられた搬送装置８２の正面からの部分透視図である。
各遊技台１１〜２０の側面側に設けられた紙幣識別装置７１〜７５から内部空間５０側の搬送装置８２に送り出された紙幣２００と、各遊技台１１〜２０の上面側に設けられたカード識別装置６１〜６５からカードガイド部９１〜９５により同様に搬送装置８２に送り出されたカード３００が、搬送装置８２により搬送物蓄積部８１まで搬送される場合の、遊技台１１〜１５の列と搬送装置８２及び搬送物蓄積部８１との位置関係が示されている。
【００３３】
図３は、図２の搬送装置８２の部分のみを抽出して示した図である。
各遊技台１１〜２０の上面側に設けられたカード識別装置６１〜６５から搬送装置８２に送り出されるカード３００は、通常は使用が終了した使用済みの当日カード、あるいは、例えば遊技場毎に指定される規格内容から外れて装置に悪影響を及ぼす可能性のあるカードや、規格に合致していても公序良俗に反していたり偽造やデータ改ざん等の違法性があって、返却するよりも没収することが妥当であるカードであるが、そのカード３００は、カードガイド部９１〜９５により搬送装置８２の所定位置に落下する。この所定位置については図４及び図５を用いて後述する。
【００３４】
搬送ベルト部８３は、ループ状で断面が円形のロープ形状であり、通常の材料と表面形状の安価な搬送ベルトが用いられる。即ち、特に摩擦係数が高い材料が用いられているわけではなく、又、その表面に摩擦係数を高くする加工が施されているわけではない。各遊技台付設処理装置２１〜２５の前面側から挿入されて背面側に排出された紙幣２００及びカード３００を搬送物蓄積部８１に搬送するために、その搬送物蓄積部８１と内部空間５０内の各遊技台付設処理装置２１〜２５の背面側との間を、図３の矢印方向に循環する。
【００３５】
図３の搬送ベルト部８３における左右両端部、言い換えれば、遊技台列の両端の遊技台の背面側の内部空間には、例えば外周端面に円弧状の凹溝が形成されたプーリー形状で、搬送ベルト部８３の進行方向を逆向きにするベルト方向転換部８４、８５が設けられている。さらに、その搬送ベルト部８３を直接に駆動するか、ベルト方向転換部８４、８５を介して間接的に駆動するために、例えば、モータと変速ギア等からなるベルト駆動部８６が設けられている。
【００３６】
又、搬送方向に向かう紙幣２００及びカード３００をガイドするために、紙幣２００及びカード３００の搬送経路の片側に配置される搬送ベルト部８３と対向する側壁面８８を少なくとも形成する搬送ガイド部８７が搬送経路に形成され、さらに、その搬送経路における紙幣２００及びカード３００の搬送経路の下側の壁面（底面）を覆う下壁面９０が形成される。
【００３７】
図４は、図１（ｃ）の遊技台島の側面からの透視図の主要部をさらに拡大して概略構成を示した図である。
カード識別装置６１〜７０の内部空間側に設けられるカードガイド部９１〜１００は、使用が終了したカード３００を搬送ベルト部８３と搬送ガイド部８７の側壁面８８との間に導くように形成されるものである。例えば、カード３００は、各遊技台１１〜２０の上面側に設けられたカード識別装置６１〜６５の水平方向のスリットに沿う横（水平）位置で、搬送ベルト部８３とは直交する方向に挿入される。カード３００は、そのカードで貸し出しが可能な遊技媒体数が０ではない場合は、返却が可能であるようにカード識別装置６１〜７０の内部、あるいはカードガイド部９１〜１００の途中に保持される。
【００３８】
そのカードで貸し出しが可能な遊技媒体数が０になった場合で、そのカードが当日カーである場合には、カードガイド部９１〜１００は、カード３００の向きを、搬送ベルト部８３に平行となるように下向き方向に徐々に変更させつつ、搬送ガイド部８７の側壁面８８と搬送ベルト部８３との間隙に、搬送ガイド部８７の上部から落下するように導く。この落下時には、後述する各搬送物押進突起部１２０に当たる場合が考えられるが、各搬送物押進突起部１２０は棒状又はその変形、あるいは付加物が取り付けられたものであり、各搬送物押進突起部１２０の搬送方向に向かっての設置間隔は、搬送方向に向かって少なくともカードの短辺よりも大きい寸法であるので、自然落下により各搬送物押進突起部１２０の間に収容される。
【００３９】
カードガイド部９１〜１００には、カード３００を落下場所まで導くための搬送ローラ１０２、１０３が設けられ、その中の湾曲部分の曲率は、紙幣と比較して可撓性が低いカードの可撓性でも十分に通過が可能な曲率で形成される。カード識別装置６１〜７０のカード識別部１０１により識別されたカード３００は、例えば搬送ローラ１０２等により一時的にカードガイド部９１〜１００内に滞留され、さらに当日カードで使用可能な遊技媒体が０になって使用を終了した（即ち、不要になった）と識別されたカード３００については、カードガイド部９１〜１００の搬送ローラ１０２、１０３が駆動されて搬送ベルト部８３と搬送ガイド部８７の側壁面８８との間隙まで搬送される。
【００４０】
ここで、循環する搬送ベルト部８３は進行方向により２種類に分類でき、搬送物蓄積部８１の方向に向かいカード３００及び紙幣２００を搬送する方向の送り方向搬送ベルト部８３ａと、搬送物蓄積部８１から逆に遊技台付設処理装置２１〜２５の背面側に向かう帰りの帰り方向搬送ベルト部８３ｂとに分けて考えられる。図４では、上側の搬送ベルトが８３ａであり、下側の搬送ベルトが帰りの帰り方向搬送ベルト部８３ｂである。搬送ベルト８３には、搬送方向に対する左右の直交方向に少なくとも搬送ガイド部８７の側壁面８８近傍まで達する長さで突出するように複数の搬送物押進突起部１２０が設けられる。
【００４１】
複数の搬送物押進突起部１２０は、図５を用いて後述するが、例えば、カード３００のみを搬送する場合ならば、搬送方向に向かって少なくともカード３００の短辺よりも大きい寸法間隔毎に、且つ、図４に示したように搬送ガイド部８７における下壁面９０からの高さがカード３００の短辺よりも小さい寸法で搬送ベルト部８３に設置すればよい。この場合には、上記したカードガイド部９１〜１００から落下したカード３００は、たとえ、一旦は搬送物押進突起部１２０に当たった場合でも、最終的に自然落下により搬送ベルト部８３と搬送ガイド部８７の側壁面８８との間で各搬送物押進突起部１２０の間に収まる。その結果、カード３００は、搬送物押進突起部１２０により押されて搬送物蓄積部８１のところまで搬送されて蓄積される。
【００４２】
また、例えば、図２〜図４に示したようにカード３００と紙幣２００を同時に搬送できるようにするためには、搬送物押進突起部１２０と搬送ガイド部８７の側壁面８８又は後述する凹溝８９との間に、紙幣２００の厚み寸法以上の間隙を有しており、搬送物押進突起部１２０の先端部の紙幣２００と接触する面が、紙幣２００を搬送ガイド部８７の側壁面８８と搬送ベルト部８３との間に引き込むと共に、そのまま引きずって搬送できるだけの摩擦力を発生できる構造であればよい。この場合も、上記したカードガイド部９１〜１００は、使用済みのカード３００を、搬送ベルト部８３と搬送ガイド部８７の側壁面８８との間で、各搬送物押進突起部１２０の間に落下させるように導く。その結果、カード３００は、搬送ベルト部８３と搬送ガイド部８７の側壁面８８との間で各搬送物押進突起部１２０の間に収容され、搬送物蓄積部８１のところまで搬送されて蓄積される。
【００４３】
尚、搬送ガイド部８７の側壁面８８には、搬送物押進突起部１２０の先端形状の外形寸法よりも大きい内形寸法の凹溝８９が形成され、搬送物押進突起部１２０の先端がその凹溝８９に遊嵌されており、凹溝８９が一種の搬送物押進突起部１２０のスライドガイドとして機能している。
【００４４】
図５は、図４の搬送ベルト部８３における搬送物押進突起部１２０の設置間隔の例を示す図である。
送り方向搬送ベルト部８３ａには、搬送方向に向かって間隔Ｌ１の寸法間隔で複数の搬送物押進突起部１２０が設けられる。間隔Ｌ１は、例えば、カード３００のみを搬送する場合には、少なくともカード３００の短辺よりも大きい寸法間隔であればよい。また、紙幣２００を搬送する場合でも、本実施の形態のように紙幣２００を各搬送物押進突起部１２０と側壁面８８との間に挟んで引きずるように搬送する場合には、間隔Ｌ１は、上記したカード３００の短辺よりも大きい任意の寸法間隔に設定してもよい。
【００４５】
紙幣認識装置７１〜８０の中には、例えば、遊技台付設処理装置２１〜３０の前面側から挿入された１０００円札、２０００円札、５０００円札及び１００００円札を判別する紙幣判別部１１１が設けられる。紙幣判別部１１１の内部空間５０側には、紙幣搬送ローラ１１２が設けられる。紙幣識別装置７１〜８０の紙幣識別部１１１により識別された紙幣２００は、搬送ローラ１１２が駆動されて搬送ガイド部８７まで搬送される。
【００４６】
紙幣２００は、紙幣判別部１１１の内部空間５０側から搬送ベルト部８３に向けてそのベルト面と直交する方向にまず搬送され、さらに搬送ガイド１１５等により搬送方向と紙幣２００との角度が平行になりやすいように導かれてベルト面に当接される。その後、各搬送物押進突起部１２０が紙幣２００を搬送ガイド部８７の側壁面８８内に引き込み、紙幣２００が搬送ベルト部８３と搬送ガイド部８７の側壁面８８との間に入り、さらに各搬送物押進突起部１２０と側壁面８８との間に入った場合には、搬送物押進突起部１２０により摩擦力で把持されて紙幣２００は引きずられるように搬送されて搬送物蓄積部８１まで搬送される。
【００４７】
紙幣の場合は、紙幣判別部１１１で判別された紙幣が、搬送ローラ１１２により搬送ガイド部８７まで搬送される。搬送ベルト部８３と搬送ガイド部８７の側壁面８８との間で、さらに各搬送物押進突起部１２０と側壁面８８との間に入った紙幣は、搬送物蓄積部８１のところまで搬送されて蓄積される。従って、本実施の形態の搬送装置は、カードと紙幣を搬送するために搬送ベルト部８３の表面に特殊な材料や特殊な加工を用いて摩擦係数を高くする必要が無く、各搬送物押進突起部１２０の先端のみに、紙幣の引き込みのために摩擦係数を高くする特殊な材料、及び／又は、特殊な加工を用いればよく、低コストで製造及び設置が容易な搬送装置を提供することができる。
【００４８】
このように本実施の形態の搬送装置では、使用済み当日カードのような不要となったカードを遊技台島部の側端面の搬送物蓄積部まで搬送して蓄積することができ、更に紙幣とカードを同時に搬送物蓄積部まで搬送して蓄積することができるので、従業員の工数を低減させることができる。
【００４９】
（第２の実施形態）
上記した第１の実施形態では、搬送物押進突起部１２０を用いて、紙幣２００を搬送装置８２に引き込んでいたが、紙幣が古い等で可撓性が高い場合には、搬送物押進突起部１２０により紙幣２００を搬送装置８２に引き込もうとしても、接触面積が少ないため、摩擦力の発生する面積が少なく、搬送物押進突起部１２０から紙幣２００が逃げてしまい、うまく紙幣２００を搬送装置８２に引き込めずに時間がかかる可能性がある。そこで、実施の形態２では、紙幣２００に対する搬送物押進突起部１２０の接触面積を増大させて引き込み及び搬送動作をより確実にしている。
【００５０】
図６（ａ）は、本発明の第２の実施の形態の搬送装置を側面から拡大して示した図であり、（ｂ）は、（ａ）の送り方向搬送ベルト部８３ａにおける搬送物押進突起部１２０ａ及び紙幣引き込み部１２１の断面図であり、（ｃ）が紙幣引き込み部１２１の設置間隔の例を示す側面図であり、（ｄ）が（ｃ）の搬送物押進突起部１２０ａの紙幣引き込み部１２１を変形させた変形例１２２を示す図である。
【００５１】
本実施形態と、図４及び図５に示した第１の実施形態との相違は、搬送物押進突起部１２０ａの先端部に、その搬送物押進突起部１２０ａの直径よりも少なくとも上下方向に大径化させた紙幣引き込み部１２１が設けられている。
【００５２】
搬送ガイド部８７ａの側壁面８８ａに形成される凹溝８９ａは、紙幣引き込み部１２１の外形寸法よりも大きい内形寸法であり、紙幣引き込み部１２１は、凹溝８９ａに遊嵌されている。
【００５３】
図６に示した紙幣引き込み部１２１は、先端側が曲面の鍋蓋形状であるが、搬送物押進突起部１２０ａの直径を増大させた円柱形状であってもよい。また、その場合、図６（ｄ）に示したように紙幣引き込み部１２２の鍋蓋形状部又は円柱形状部には、紙幣２００と当接する側の部分を上下方向に切り欠いて平面化することで紙幣接触面１２３を形成してもよい。また、接触面の摩擦力をさらに増加させるために、紙幣引き込み部１２２及び／又は紙幣接触面１２３には、摩擦を増大させるための形状加工、摩擦を増大させる材料（摩擦係数の高い材料）の付加を接触面に対して実施しても良い。
【００５４】
このように本実施の形態の搬送装置では、搬送ベルト部８３における搬送物押進突起部１２０ａに紙幣引き込み部１２１を設け、さらにその紙幣２００と当接する側の部分を上下方向に切り欠いて平面化して紙幣接触面１２３を形成したので、紙幣２００を搬送装置に引き込む際の接触面積を増加させて摩擦力を増加させることができ、紙幣２００を搬送装置に引き込む際に時間がかかったり、引き込みできない事態を回避することができ、搬送をより確実にすることができる。
【００５５】
（第３の実施形態）
上記した第２の実施形態では、紙幣２００に対する搬送物押進突起部１２０の直径を少なくとも上下方向に大径化させて鍋蓋形状部又は円柱形状部の紙幣引き込み部１２１を設けることで、引き込み動作をより確実にしている。紙幣引き込み部１２１の形状を第２の実施形態のように鍋蓋形状又は円柱形状とすると、接触面積を増加させるためには、紙幣２００と接触する側に切り欠き又は研磨・切削加工等を施して、紙幣接触面１２３を形成する等の後加工の必要があった。そこで、実施の形態３では、紙幣引き込み部１２４を直方体形状として、その一側面が紙幣２００と面で接触するようにして接触面積を増大させることで、後加工を不要にしている。
【００５６】
図７（ａ）は、本発明の第３の実施の形態の搬送装置を側面から拡大して示した図であり、（ｂ）は、（ａ）の送り方向搬送ベルト部８３ａにおける搬送物押進突起部１２０ｂ及び紙幣引き込み部１２４の断面図であり、（ｃ）が紙幣引き込み部１２４の設置間隔の例を示す側面図であり、（ｄ）が（ｃ）の搬送物押進突起部１２０ｂにおける胴体部に追加引き込み部１２６を設けた例を示す図であり、（ｅ）は、（ｄ）の送り方向搬送ベルト部８３ａにおける搬送物押進突起部１２０ｂに追加引き込み部１２６を設けた場合の断面図である。
【００５７】
本実施形態と、図６に示した第２の実施形態との相違は、搬送物押進突起部１２０ｂの先端部に設けられる紙幣引き込み部１２４の形状が直方体になり、その一側面が紙幣に接する向きに取り付けられることと、搬送物押進突起部１２０ｂの胴体部に追加引き込み部１２６が設けられていることである。
【００５８】
上記した他の実施形態と同様に、搬送ガイド部８７ｂの側壁面８８ｂに形成される凹溝８９ｂは、紙幣引き込み部１２４の外形寸法よりも大きい内形寸法であり、紙幣引き込み部１２４は、凹溝８９ｂに遊嵌されている。
【００５９】
図７に示した紙幣引き込み部１２４は、一側面が紙幣２００と面で接触するように直方体形状としているが、一側面が紙幣接触面１２５として紙幣２００と面で接触できる形状であれば他の形状であってもよい。また、その場合、図７（ｄ）に示したように紙幣引き込み部１２４以外の追加引き込み部１２６を搬送物押進突起部１２０ｂの胴体部に形成しても良い。追加引き込み部１２６は紙幣引き込み部１２４と同様にその一側面が紙幣接触面１２７として紙幣に接する向きに設けられている。追加引き込み部１２６を用いる場合には、図７（ｅ）の左側に示したように、紙幣引き込み部１２４のみの場合よりも紙幣２００を大面積で搬送装置８２に引き込み搬送することができる。また、接触面の摩擦力をさらに増加させるために、紙幣引き込み部１２４及び／又は追加引き込み部１２６には、摩擦を増大させるための形状加工、摩擦を増大させる材料（摩擦係数の高い材料）の付加を少なくとも紙幣と接触する面に対して実施しても良い。
【００６０】
このように本実施の形態の搬送装置では、搬送ベルト部８３における搬送物押進突起部１２０ｂに、紙幣２００と当接する側に平面を有する直方体の紙幣引き込み部１２１を設け、さらにその紙幣２００と当接する側の部分が平面である追加引き込み部１２６を設けたので、紙幣２００を搬送装置に引き込む際の接触面積をさらに増加させて摩擦力を増加させることができ、紙幣２００を搬送装置に引き込む際に時間がかかったり、引き込みできない事態を一層回避することができ、搬送を一層確実にすることができる。
【図面の簡単な説明】
【００６１】
【図１】（ａ）が本発明の実施の形態１の搬送装置が設置された遊技台島部の構成を示す正面図であり、（ｂ）がその上面からの透視図、（ｃ）が側面からの透視図である。
【図２】図１（ａ）の複数の遊技台の列の背面側に設けられた搬送装置を示した透視図である。
【図３】図２の搬送装置のみを更に詳しく示した図である。
【図４】図１（ａ）の遊技台島の横断面の概略構成を示す図である。
【図５】（ａ）が図４の搬送ベルト部における搬送物押進突起部の断面図であり、（ｂ）が設置間隔の例を示す側面図である。
【図６】（ａ）は本発明の第２の実施の形態の搬送装置を側面から拡大して示した図であり、（ｂ）は（ａ）の送り方向搬送ベルト部８３ａにおける搬送物押進突起部１２０ａ及び紙幣引き込み部１２１の断面図であり、（ｃ）が紙幣引き込み部１２１の設置間隔の例を示す側面図であり、（ｄ）が（ｃ）の搬送物押進突起部１２０ａの紙幣引き込み部１２１を変形させた例の紙幣引き込み部１２２を示す図である。
【図７】（ａ）は本発明の第３の実施の形態の搬送装置を側面から拡大して示した図であり、（ｂ）は（ａ）の送り方向搬送ベルト部８３ａにおける搬送物押進突起部１２０ｂ及び紙幣引き込み部１２４の断面図であり、（ｃ）が紙幣引き込み部１２４の設置間隔の例を示す側面図であり、（ｄ）が（ｃ）の搬送物押進突起部１２０ｂにおける胴体部に追加引き込み部１２６を設けた例を示す図であり、（ｅ）は（ｄ）の送り方向送り方向搬送ベルト部８３ａにおける搬送物押進突起部１２０ｂに追加引き込み部１２６を設けた場合の断面図である。
【符号の説明】
【００６２】
１  遊技台島、
１１〜２０  遊技台、
２１〜３０  遊技台付設処理装置、
４１  前面上部掩蔽部、
４２  台座部（前面下部掩蔽部）、
４４  側面の掩蔽部材、
５０  内部空間（遊技台島の掩蔽領域内部）、
６１〜７０  カード識別装置、
７１〜８０  紙幣識別装置、
８１  搬送物蓄積部、
８２  搬送装置、
８３  搬送ベルト部、
８３ａ  送り方向搬送ベルト部、
８３ｂ  帰り方向搬送ベルト部、
８４、８５  ベルト方向転換部、
８６  ベルト駆動部、
８７  搬送ガイド部、
８８  側壁面、
８９  凹溝、
９０  下壁面、
９１〜１００  カードガイド部、
１０１  カード識別部、
１０２、１０３  搬送ローラ、
１１１  紙幣判別部、
１１２  紙幣搬送ローラ、
１２０、１２０ａ、１２０ｂ  搬送物押進突起部、
１２３、１２５、１２７  紙幣接触面、
１２６  追加引き込み部、
２００  紙幣、
３００  カード。
【図１】
0004790419.tif 000002
【図２】
0004790419.tif 000003
【図３】
0004790419.tif 000004
【図４】
0004790419.tif 000005
【図５】
0004790419.tif 000006
【図６】
0004790419.tif 000007
【図７】
0004790419.tif 000008